(57)【要約】【課題】ドラグ機構を自由に選択でき、汎用性が高く、取扱い易く、使い勝手に優れ、素早い操作に対応でき、小さい操作力で、微妙な操作が可能で、スタードラグノブを、レバードラグ機構のプリセットつまみのようにも使え、製造コストを低減でき、構成簡素で、耐久性に優れ、量産に適し、低廉で、経済的なドラグ装置を提供する。【解決手段】スタードラグ機構は、ギャードドラグナット１１とスタードラグノブ１０と円盤状弾性体とを有し、レバードラグ機構は、ドラグレバー２０とアンカー２５とを有し、アンカー２５には、リール本体に適宜摩擦状態で常時当接する押えネジ３３を螺着し、ドラグレバー２０の揺動動作によって、アンカー２５のどちらか一方の係止爪部２７、２８がギャードドラグナット１１の係止歯部１３に係止し、ドラグレバー２０の揺動動作と共に、ギャードドラグナット１１を正逆回転できるよう構成する。【選択図】図１
2005278532.tif 000002
【特許請求の範囲】
【請求項１】
スタードラグ機構とレバードラグ機構の両方を備えた釣り用リールのドラグ装置であって、スタードラグ機構とレバードラグ機構の操作部分は、リール本体のサイドカバーと、このサイドカバーから側方に突出しているハンドル軸の先端に固着されているハンドルとの間に介装され、スタードラグ機構は、ハンドル軸の先端がわ外周面に設けた雄ネジ部に螺合可能となるギャードドラグナットと、このギャードドラグナットの外がわ側部に固定される或いはギャードドラグナットと一体に構成されるスタードラグノブと、ギャードドラグナットの内がわ側面に位置して、ギャードドラグナットの正逆回転によってハンドル軸の軸芯方向での弾性圧迫状態が調節される適数の円盤状弾性体とを有し、レバードラグ機構は、サイドカバーに設けたレバー取付部に装着されると共に、ハンドル軸の軸芯を中心として揺動自在となるよう形成されるドラグレバーと、このドラグレバーの外がわ側面に揺動自在に装着されるアンカーとを有し、前記ギャードドラグナットの外周面には、複数の係止歯部を周設し、前記アンカーには、ギャードドラグナットの係止歯部に係脱自在に係止可能となる一対の係止爪部を両端部分に形成すると共に、サイドカバーの外がわ側面に適宜摩擦状態で常時当接する押えネジを螺着させ、ドラグレバーの揺動動作によって、アンカーが揺動すると同時に、どちらか一方の係止爪部がギャードドラグナットの係止歯部に係止された状態となり、ドラグレバーの揺動動作と共に、ギャードドラグナットを正逆回転できるよう構成したことを特徴とする釣り用リールのドラグ装置。
【請求項２】
前記アンカーの揺動方向左右に一対の弾発スプリングを付設し、この一対の弾発スプリングの弾発力を利用して、一対の係止爪部のどちらもギャードドラグナットの係止歯部に係止されない中立状態を維持できるよう構成したことを特徴とする請求項１記載の釣り用リールのドラグ装置。
【発明の詳細な説明】
【技術分野】
【０００１】
本発明は、スタードラグ機構とレバードラグ機構の両方を備え、取扱い易く、使い勝手に優れた釣り用リールのドラグ装置に関するものである。
【背景技術】
【０００２】
従来、この種の釣り用リールのドラグ装置としては、例えば、特許文献１に示すようなスタードラグタイプのものや、レバードラグタイプのものがあり、これらの利点や、欠点等を考慮して、そのどちらかを釣り用リールに採用することが多かった。
【０００３】
そして、スタードラグタイプのものは、比較的古くから存在し、例えば、スタードラグと呼ばれる星形のつまみを、ハンドル軸の雄ネジ部分に螺合し、このつまみを正逆回転（ねじ込み調整）することで、軸芯方向の圧力を得て、ハンドル軸に装着してあるドラグワッシャ（摩擦板）を押圧し、スプールの逆転（すなわち、ラインの繰り出し）を制御できるようにしている。
【０００４】
また、レバードラグタイプのものは、比較的新しく、例えば、レバードラグと呼ばれるアーム形状のレバーをリール本体に揺動自在に装着したもので、このレバーを揺動させることで、スプール軸の軸芯方向の圧力を得て、スプール軸に装着してあるドラグワッシャ（摩擦板）を押圧し、スプールの逆転（すなわちラインの繰り出し）を制御できるようにしている。
【０００５】
【特許文献１】特開２００４−５７１４４
【発明の開示】
【発明が解決しようとする課題】
【０００６】
ところが、前述の如きスタードラグタイプのものは、例えば、機構上ハンドル軸と共に回転してしまう（供回りする）難点や、最大から最少、或いは最小から最大の締付け調整につまみを２回転以上回すため、素早い操作に対応し難い難点や、最大締付け力を得るには、かなりの力（例えば、締付け時に指が痛くなる程の力）が必要となる難点や、ハンドル軸上にドラグワッシャ（摩擦板）を配置するので、増速比分だけスプールがわから受けるトルクが大きくなり、ドラグワッシャ（摩擦板）による制動力が大きいものが必要となる難点等があった。
【０００７】
一方、前述の如きレバードラグタイプのものは、最大から最少、或いは最小から最大の締付け調整に、レバーを９０度から１２０度程度揺動操作すれば良く、素早い操作ができる利点や、最大締付け力を得るにも、レバーの長さが長いため、操作力は比較的小さくて済む利点や、スプール軸上にドラグワッシャ（摩擦板）を直結配置するので、ドラグワッシャ（摩擦板）による制動力が小さくても比較的大きなドラグ（抵抗）が得られる利点等がある。
しかしながら、レバードラグタイプのものは、強固なスラスト軸受けが必要となる難点や、回転する摩擦円盤（摩擦板）を固定側から押圧する時にハンドルの回転抵抗を低減するため、極力摩擦抵抗の少ないスラスト転がり軸受が必要となる難点や、スタードラグタイプのものに比べ、微妙な（微細な）操作（例えば、ハーフスロットル、パーシャル時の微妙な操作）を苦手とする難点や、プリセットつまみを有するも、あくまで初期設定用でありスタードラグタイプのような操作ができない難点等があった。
【課題を解決するための手段】
【０００８】
そこで、本発明は、スタードラグタイプのものにレバードラグタイプのものを付加して、より取扱い易く、使い勝手の優れたものとし、しかも、構成が簡素で、耐久性に優れ、量産に適し、低廉で、経済的な釣り用リールのドラグ装置を提供できるようにすべく創出されたものである。
【０００９】
しかして、請求項１記載の釣り用リールのドラグ装置にあっては、スタードラグ機構とレバードラグ機構の両方を備えた釣り用リールのドラグ装置であって、スタードラグ機構とレバードラグ機構の操作部分は、リール本体のサイドカバー５と、このサイドカバー５から側方に突出しているハンドル軸２の先端に固着されているハンドル１との間に介装され、スタードラグ機構は、ハンドル軸２の先端がわ外周面に設けた雄ネジ部３に螺合可能となるギャードドラグナット１１と、このギャードドラグナット１１の外がわ側部に固定される或いはギャードドラグナット１１と一体に構成されるスタードラグノブ１０と、ギャードドラグナット１１の内がわ側面に位置して、ギャードドラグナット１１の正逆回転によってハンドル軸２の軸芯方向での弾性圧迫状態が調節される適数の円盤状弾性体とを有し、レバードラグ機構は、サイドカバー５に設けたレバー取付部６に装着されると共に、ハンドル軸２の軸芯を中心として揺動自在となるよう形成されるドラグレバー２０と、このドラグレバー２０の外がわ側面に揺動自在に装着されるアンカー２５とを有し、前記ギャードドラグナット１１の外周面には、複数の係止歯部１３を周設し、前記アンカー２５には、ギャードドラグナット１１の係止歯部１３に係脱自在に係止可能となる一対の係止爪部２７、２８を両端部分に形成すると共に、サイドカバー５の外がわ側面に適宜摩擦状態で常時当接する押えネジ３３を螺着させ、ドラグレバー２０の揺動動作によって、アンカー２５が揺動すると同時に、どちらか一方の係止爪部２７、２８がギャードドラグナット１１の係止歯部１３に係止された状態となり、ドラグレバー２０の揺動動作と共に、ギャードドラグナット１１を正逆回転できるよう構成する手段を採用した。
【００１０】
また、請求項２記載の釣り用リールのドラグ装置にあっては、前記アンカー２５の揺動方向左右に一対の弾発スプリング３２を付設し、この一対の弾発スプリング３２の弾発力を利用して、一対の係止爪部２７、２８のどちらもギャードドラグナット１１の係止歯部１３に係止されない中立状態を維持できるよう構成する手段を採用した。
【発明の効果】
【００１１】
従って、本発明の請求項１記載の釣り用リールのドラグ装置によれば、スタードラグ機構とレバードラグ機構を自由に選択して使用することができ、釣り上げる魚等に対応した使い方が可能となり、汎用性の高い釣り用リールのドラグ装置となる。すなわち、より取扱い易く、使い勝手の優れたものとなる。
【００１２】
特に、レバードラグ機構のドラグレバー２０によれば、素早い操作に対応できるようになると共に、最大締付け力を得るにもその操作力は比較的小さくて済むようになり、しかも、スタードラグノブ１０での操作よりも微妙な（微細な）操作が可能となる。
【００１３】
加えて、スタードラグ機構のスタードラグノブ１０によれば、通常のスタードラグ機構としての使い方は勿論のこと、レバードラグ機構のプリセットつまみのような使い方も可能となる。
【００１４】
そして、スタードラグノブ１０とドラグレバー２０を、ハンドル軸２の軸芯を中心として正逆回転させたり、揺動させたりでき、操作性が良いものとなる。
【００１５】
更に、スタードラグ機構とレバードラグ機構とで、共用している部品があり、製造コストの低減が図れるようになる。
【００１６】
しかも、強固なスラスト軸受けや、極力摩擦抵抗の少ないスラスト転がり軸受等が不要となり、構成が簡素で、耐久性に優れ、量産に適し、低廉で、経済的な釣り用リールのドラグ装置を提供できるようになる。
【００１７】
尚、ドラグレバー２０を取外すことにより、スタードラグ機構のみの釣り用リールを簡単に提供可能となる。すなわち、ドラグレバー２０を装着することにより、スタードラグ機構の釣り用リールにレバードラグ機構を簡単に追加できるようになる。
【００１８】
また、本発明の請求項２記載の釣り用リールのドラグ装置によれば、ドラグレバー２０の揺動操作を解除すると、アンカー２５が弾発スプリング３２によって確実に且つスムーズに中立状態となる。ひいては、スタードラグ機構を操作すべくスタードラグノブ１０を操作したときに、アンカー２５がギャードドラグナット１１の回転を阻止するようにはならないものとなる。
【発明を実施するための最良の形態】
【００１９】
以下、本発明を図示例に基づいて説明すると、次の通りである。
本発明は、主に、両軸受型リールに設けられるドラグ装置であって、スタードラグ機構とレバードラグ機構の両方を備えたものである。
そして、スタードラグ機構とレバードラグ機構の操作部分は、リール本体のサイドカバー５と、このサイドカバー５から側方に突出しているハンドル軸２の先端に固着されているハンドル１との間に介装したものである。
【００２０】
しかも、スタードラグ機構は、ハンドル軸２の先端がわ外周面に設けた雄ネジ部３に螺合可能となるギャードドラグナット１１と、このギャードドラグナット１１の外がわ側部に固定される（或いは、ギャードドラグナット１１と一体に構成される）スタードラグノブ１０と、ギャードドラグナット１１の内がわ側面に位置して、ギャードドラグナット１１の正逆回転によってハンドル軸２の軸芯方向での弾性圧迫状態が調節される適数の円盤状弾性体とを有している。
【００２１】
また、レバードラグ機構は、サイドカバー５に設けたレバー取付部６に装着されると共に、ハンドル軸２の軸芯を中心として揺動自在となるよう形成されるドラグレバー２０と、このドラグレバー２０の外がわ側面に揺動自在に装着されるアンカー２５とを有している。
【００２２】
そして、前記ギャードドラグナット１１の外周面には、複数の係止歯部１３を周設し、前記アンカー２５には、ギャードドラグナット１１の係止歯部１３に係脱自在に係止可能となる一対の係止爪部２７、２８を両端部分に形成すると共に、サイドカバー５の外がわ側面に適宜摩擦状態で常時当接する押えネジ３３を螺着させてある。
【００２３】
それから、ドラグレバー２０の揺動動作によって、アンカー２５が揺動すると同時に、どちらか一方の係止爪部２７、２８がギャードドラグナット１１の係止歯部１３に係止された状態となり、ドラグレバー２０の揺動動作と共に、ギャードドラグナット１１を正逆回転できるよう構成されている。
【実施例】
【００２４】
更に、本発明のドラグ装置を具体的に説明する。
前記ハンドル１は、例えば、ハンドルアームと、ハンドルアームの先端部分に装着されるノブとからなり、ハンドルアームの基端部分がハンドル軸２の先端部分にネジ止めできるように形成されている。
【００２５】
前記ハンドル軸２は、例えば、リール本体の側部（例えば、サイドカバー５）から側方に突出しており、その先端がわ外周面に雄ネジ部３が螺刻されている。尚、図示例では、ハンドル軸２は、スプール軸と軸芯が一致するように構成されているが、スプール軸と軸芯が一致しなくても良い。
【００２６】
前記サイドカバー５は、例えば、リール本体の側部に設けられており、スタードラグ機構やレバードラグ機構に共通するドラグ機構に於ける複数の摩擦板等の部分を覆うように形成されている。しかも、サイドカバー５の外側面には、ハンドル軸２が突出している部分の周囲に略厚肉円環状のレバー取付部６が突設されている。
【００２７】
前記スタードラグノブ１０は、例えば、手指で正逆回転操作がし易いように、外周部分に五つの低突起部が設けられた略星形厚板状を呈し、止ネジ等によってギャードドラグナット１１の外がわ側部（ハンドル１がわ側部）に固定されている。尚、スタードラグノブ１０は、ギャードドラグナット１１と一体に形成してあっても良い。
【００２８】
前記ギャードドラグナット１１は、例えば、全体略厚肉円盤状（全体略厚肉歯車状）を呈し、その中央には、ハンドル軸２の雄ネジ部３に螺合可能な雌ネジ孔１２が設けられ、その外周部には、アンカー２５の係止爪部２７、２８が係脱自在に係止可能となるような複数の係止歯部１３が周設されている。しかも、その内がわ側部（サイドカバー５がわ側部）には、適宜円形凹部が設けられており、この円形凹部に適数の円盤状弾性体の全体或いは一部が収まるように形成されている。尚、ギャードドラグナット１１をスタードラグノブ１０と一体的に構成した場合は、雌ネジ孔１２はスタードラグノブ１０に設けるようにしても良い。
【００２９】
前記円盤状弾性体は、例えば、複数のサラバネ１４によって構成され、この複数のサラバネ１４は、ハンドル軸２に回動自在に外装されると共にギャードドラグナット１１の内がわ側部で押圧できるように構成されている。
尚、図中１５は、ハンドル軸２に回動自在に外装されると共に複数のサラバネ１４と、サイドカバー５の軸受部分との間に介装される略円筒状のカラーである。
【００３０】
前記ドラグレバー２０は、例えば、ドラグレバー基板と、このドラグレバー基板の内がわ側面（サイドカバー５がわ側面）の基端がわにネジ止め固定されるレバーフランジ２１と、ドラグレバー基板の内がわ側面（或いは、外がわ側面）の先端がわに装着されるノブ２３とで構成されている。
そして、レバーフランジ２１は、リテーナ２２を介してサイドカバー５のレバー取付部６に回動自在となるよう装着されており、ドラグレバー２０がハンドル軸２の軸芯を中心としてスムーズに且つ安定的に揺動できるように構成してある。
【００３１】
前記アンカー２５は、例えば、ドラグレバー基板の外がわ側面（ハンドル１がわ側面）に、その中央部分に配されるカラー３１及び取付ネジ３０を介して揺動自在となるように装着されている。尚、アンカー２５は、ドラグレバー基板の外がわ側面に対して平行な面内で揺動するように形成されている。
そして、アンカー２５の左右端部には、レバーフランジ２１の揺動中心（ハンドル軸２の軸芯）がわに向って突出するような一対の係止爪部２７、２８が設けられている。尚、この一対の係止爪部２７、２８は、ギャードドラグナット１１の外周の係止歯部１３に接近した位置に配されるようになり、アンカー２５の左右への僅かな揺動動作によって、一方の係止爪部２７が係止歯部１３に係止されたり、或いは、他方の係止爪部２８が係止歯部１３に係止されたり、或いは、一対の係止爪部２７、２８のどちらもが係止歯部１３に係止されない中立状態が得られるように構成されている。
更に、アンカー２５には、揺動中心となる取付ネジ３０から離れた位置にネジ孔２６が設けられており、このネジ孔２６には、押えネジ３３が螺着できるように形成されている。
【００３２】
加えて、アンカー２５の揺動方向左右には、一対の弾発スプリング３２が付設されており、この一対の弾発スプリング３２の弾発力を利用して、一対の係止爪部２７、２８のどちらもギャードドラグナット１１の係止歯部１３に係止されない中立状態を維持できるように構成されている。尚、弾発スプリング３２は、図示例のようなコイルスプリングでも良いし、捩りコイルバネや、その他のスプリングでも良い。
【００３３】
前記押えネジ３３は、例えば、アンカー２５のネジ孔２６に螺着されると共に、その先端部分がサイドカバー５（或いは、リール本体の側部）の外がわ側面に適宜摩擦状態で常時当接するように構成されている。すなわち、アンカー２５に装着された押えネジ３３は、ドラグレバー２０のドラグレバー基板に穿設した長孔を介してサイドカバー５がわに突設し、その先端部分に外装固着した摩擦用キャップ３４が、サイドカバー５（或いは、リール本体の側部）の外がわ側面に適宜摩擦状態で常時当接するようにしてある。
しかして、ドラグレバー２０を揺動させるべく、ドラグレバー２０が僅かに揺動すると、押えネジ３３先端の摩擦用キャップ３４とサイドカバー５との摩擦抵抗によって、アンカー２５が揺動し、どちらか一方の係止爪部２７、２８がギャードドラグナット１１の係止歯部１３に係止された状態となる。それから、ドラグレバー２０の揺動動作と共に、アンカー２５の係止爪部２７、２８に係止されたギャードドラグナット１１が、ドラグレバー２０の揺動方向に沿って回転するようになる。また、この後、ドラグレバー２０を逆方向に僅かに揺動させると（或いは、ドラグレバー２０をそのままの状態としておくと）、弾発スプリング３２の弾発力によって、係止爪部２７、２８とギャードドラグナット１１との係止状態が解除されて、係止爪部２７、２８とギャードドラグナット１１が係止していない中立状態となる。尚、このときは、スタードラグノブ１０を回転させて、ギャードドラグナット１１を回転させることができる。
【００３４】
図中３５は、例えば、アンカー２５や弾発スプリング３２等を覆うと共に、弾発スプリング３２の一端部分を夫々保持できるようにしたアンカーカバーである。
【００３５】
ところで、ドラグ装置の具体的構成、ハンドル１の具体的構成、形状、寸法、材質、ハンドル軸２の具体的構成、形状、寸法、材質、雄ネジ部３の具体的構成、寸法、配設位置、サイドカバー５の具体的構成、形状、寸法、材質、レバー取付部６の具体的構成、形状、寸法、スタードラグノブ１０の具体的構成、形状、寸法、材質、ギャードドラグナット１１の具体的構成、形状、寸法、材質、雌ネジ孔１２の具体的構成、寸法、係止歯部１３の具体的構成、形状、寸法、数、円盤状弾性体の具体的構成、サラバネ１４の具体的構成、形状、寸法、材質、数、配設位置、カラー１５の具体的構成、形状、寸法、材質、配設位置、ドラグレバー２０の具体的構成、形状、寸法、材質、配設位置、ドラグレバー基板の具体的構成、形状、寸法、材質、レバーフランジ２１の具体的構成、形状、寸法、材質、リテーナ２２の具体的構成、形状、寸法、材質、ノブ２３の具体的構成、形状、寸法、材質、配設位置、アンカー２５の具体的構成、形状、寸法、材質、配設位置、ネジ孔２６の具体的構成、形状、寸法、配設位置、係止爪部２７、２８の具体的構成、形状、寸法、配設位置、取付ネジ３０の具体的構成、形状、寸法、材質、カラー３１の具体的構成、形状、寸法、材質、弾発スプリング３２の具体的構成、形状、寸法、材質、数、配設位置、押えネジ３３の具体的構成、形状、寸法、材質、数、配設位置、摩擦用キャップ３４の具体的構成、形状、寸法、材質、押えネジ３３への装着手段、アンカーカバー３５の具体的構成、形状、寸法、材質、配設位置等は、図示例のもの等に限定されることなく適宜自由に設定、変更できるものである。
【図面の簡単な説明】
【００３６】
【図１】本発明のドラグ装置を例示する部分分解斜視図である。
【図２】本発明のドラグ装置を例示する部分縦断正面図である。
【図３】本発明のドラグ装置を例示する一部切欠側面図である。
【図４】本発明のドラグ装置を例示する正面図である。
【図５】本発明のドラグ装置を例示する側面図である。
【符号の説明】
【００３７】
１      ハンドル              ２      ハンドル軸
３      雄ネジ部
５      サイドカバー          ６      レバー取付部
１０    スタードラグノブ      １１    ギャードドラグナット
１２    雌ネジ孔              １３    係止歯部
１４    サラバネ              １５    カラー
２０    ドラグレバー          ２１    レバーフランジ
２２    リテーナ              ２３    ノブ
２５    アンカー              ２６    ネジ孔
２７    係止爪部              ２８    係止爪部
３０    取付ネジ              ３１    カラー
３２    弾発スプリング        ３３    押えネジ
３４    摩擦用キャップ        ３５    アンカーカバー
【図１】
2005278532.tif 000003
【図２】
2005278532.tif 000004
【図３】
2005278532.tif 000005
【図４】
2005278532.tif 000006
【図５】
2005278532.tif 000007